(57)【要約】【課題】映像の視認性を十分に向上させながら、外界を明るく観察する。【解決手段】減光シャッタにより、光学瞳に入射する映像光と同じ波長域を含む特定波長域の外界光が減光される。これにより、光学瞳に入射する映像光と同系色の光成分が外界光から減光されるので、観察される外界は表示映像とは異なる色に着色され、表示映像と外界とで色相差が生じる。したがって、外界光が減光されることによる輝度差に加え、上記の色相差により、表示映像の視認性を十分に向上させることができる。また、減光シャッタにより、可視光領域のうちの特定波長域のみ外界光が減光されるので、可視光領域全域の透過率を低下させる場合と比較して、減光シャッタおよび光路コンバイナを介して、観察者は外界を圧倒的に明るく観察することができる。【選択図】図２
2010145674.tif 000002
【特許請求の範囲】
【請求項１】
映像を表示する表示素子と、
上記表示素子からの映像光を反射させて光学瞳に導くとともに、外界光を透過させて光学瞳に導く光路コンバイナとを備え、光学瞳の位置にて、表示映像とともに外界をシースルーで観察させる映像表示装置であって、
上記光路コンバイナに対して光学瞳とは反対側に配置され、外界光の透過率を低下させる減光手段をさらに備え、
上記減光手段は、可視光領域のうち、光学瞳に入射する映像光と同じ波長域を含む特定波長域の透過率を、特定波長域以外の波長域の透過率よりも低下させることを特徴とする映像表示装置。
【請求項２】
上記減光手段における外界光の透過率が最大値と最小値との中間値となる波長幅をＷ1とし、光学瞳に入射する映像光の最大強度の半値波長幅をＷ2とすると、
Ｗ2＜Ｗ1≦１００ｎｍ
であることを特徴とする請求項１に記載の映像表示装置。
【請求項３】
上記光路コンバイナは、体積位相型で反射型のホログラム光学素子であり、
上記ホログラム光学素子の回折反射波長域は、上記特定波長域に含まれており、
上記ホログラム光学素子の回折効率の半値波長幅をＷ3とすると、
３Ｗ3≦Ｗ1
であることを特徴とする請求項２に記載の映像表示装置。
【請求項４】
上記特定波長域は、赤、緑、青のいずれかの波長域であることを特徴とする請求項１から３のいずれかに記載の映像表示装置。
【請求項５】
上記減光手段は、標準光源の一つであるＣ光源の光が入射したときに、透過光の彩度が１０以上となることを特徴とする請求項１から４のいずれかに記載の映像表示装置。
【請求項６】
光学瞳に入射する外界光と、光学瞳に入射する映像光との、ＬＣｈ表色系における色相角度差をΔｈとすると、
４５°≦Δｈ≦３１５°
であることを特徴とする請求項５に記載の映像表示装置。
【請求項７】
１３５°≦Δｈ≦２２５°
であることを特徴とする請求項６に記載の映像表示装置。
【請求項８】
上記減光手段における上記特定波長域の透過率が可変であることを特徴とする請求項１から７のいずれかに記載の映像表示装置。
【請求項９】
上記減光手段は、ゲストホスト液晶を用いた液晶素子であることを特徴とする請求項８に記載の映像表示装置。
【請求項１０】
上記減光手段は、カイラルネマティック液晶を用いた液晶素子であることを特徴とする請求項８に記載の映像表示装置。
【請求項１１】
上記減光手段は、選択的に使用可能に複数設けられており、
各減光手段の上記特定波長域は、互いに異なっていることを特徴とする請求項１から１０のいずれかに記載の映像表示装置。
【請求項１２】
上記表示素子からの映像光を内部で全反射させて導光する光学部材をさらに有しており、
上記光路コンバイナは、体積位相型で反射型のホログラム光学素子であり、
上記ホログラム光学素子は、上記光学部材内部を導光される上記表示素子からの映像光を回折反射させて光学瞳に導くことを特徴とする請求項１から１１のいずれかに記載の映像表示装置。
【請求項１３】
上記ホログラム光学素子は、軸非対称な正の光学パワーを有しており、上記表示素子からの映像光を光学瞳に導く接眼光学系の少なくとも一部を構成していることを特徴とする請求項１２に記載の映像表示装置。
【請求項１４】
請求項１から１３のいずれかに記載の映像表示装置と、
上記映像表示装置を観察者の眼前で支持する支持手段とを備えていることを特徴とするヘッドマウントディスプレイ。
【発明の詳細な説明】
【技術分野】
【０００１】
本発明は、反射透過特性を有する光学素子を光路コンバイナとして用い、表示素子の表示像と外界とを同時に重ね合わせて観察可能な映像観察装置と、その映像表示装置を備えたヘッドマウントディスプレイ（以下、ＨＭＤとも称する）とに関するものである。
【背景技術】
【０００２】
透明基材上に形成された反射透過特性を有する膜を用い、表示素子からの映像光を観察者の瞳の方向に反射すると同時に外界光を透過させ、映像（虚像）と外界とを重ね合わせて視認させる装置として、ＨＵＤ（ヘッドアップディスプレイ）やＨＭＤと呼ばれる装置がよく知られている。このような映像と外界とを同時に観察可能なシースルーの装置を使用すれば、前方の外界から視線をそらせることなく、表示される必要な情報を追加で観察することが可能であり、様々なシーンで非常に有用である。
【０００３】
しかしながら、シースルーの装置においては、外界が明るいときに表示映像を観察しにくいので、映像の視認性を向上させる何らかの工夫が必要となる。映像の視認性を向上させるためには、接眼光学系の外界側にシロクロの（カラーフィルタを持たない）液晶シャッタを設け、液晶で外界光の透過率を下げて映像の視認性を上げる手法が一般的である。例えば、特許文献１では、ＴＮ液晶あるいはＳＴＮ液晶を遮光シャッタとして用いた映像表示装置が提案されている。この映像表示装置では、可視光領域全域において透過率を一律に可変でき、可視光の波長領域全域にわたって透過率を一律に下げることによって、映像の視認性を向上させている。
【０００４】
一方、波長選択性・角度選択性のあるコンバイナを用いれば、高コントラストの映像が得られるという報告もある。例えば特許文献２では、コレステリック液晶をコンバイナに用いたシースルー型の映像表示装置が提案されている。コレステリック液晶は波長選択性・角度選択性があり、特定の入射角に対して限られた狭い帯域の光を反射する。したがって、コンバイナで反射する映像光と同一波長の外光は、コンバイナで外側に反射（減光）されるため、高コントラストな映像が得られるというものである。
【０００５】
【特許文献１】特許３３５４００８号公報
【特許文献２】特許２５６４３６６号公報
【発明の開示】
【発明が解決しようとする課題】
【０００６】
ところが、特許文献１の構成では、映像の視認性を向上させるべく、可視光の波長領域全域にわたって透過率を一律に下げるため、シースルーで観察される外界が非常に暗くなる。
【０００７】
また、特許文献２のように、映像の視認性を向上させるべく、波長選択性・角度選択性のあるコンバイナを用いるだけでは、映像光が入射する光学瞳の大きさを考慮すると、映像光と同一波長の外光も光学瞳に入射し、映像光の視認性を向上させるには十分でない。以下、この点についてさらに説明する。
【０００８】
特許文献２の構成において、上記した「コンバイナで反射する映像光と同一波長の外光は、コンバイナで外側に反射されるため、高コントラストな映像が得られる」という理論は、光学瞳の大きさが１点のみ（すなわち光学瞳の大きさがほとんどゼロ）と仮定した場合にのみ成り立つ。実際には、光学瞳には大きさがあり、その瞳径に入射する全ての光を考慮しなければならない。
【０００９】
例えば図１０に示すように、光学瞳Ｅの大きさを考慮すると、瞳中心に向かう外界光および瞳端に向かう外界光はともに、コンバイナ１０１に対してほぼ同一角度で入射する。これに対して、コンバイナ１０１は光学瞳Ｅに近接して配置されているため、瞳中心に入射する映像光と瞳端に入射する映像光とでは、コンバイナ１０１上での反射角が異なる。コンバイナ１０１は波長選択性・角度選択性を有しているので、反射角が異なると光学瞳Ｅに入射する映像光波長が異なる。すなわち、光学瞳Ｅには、外界光とはコンバイナ１０１上での反射角が異なる映像光も入射するため、光学瞳Ｅに入射する全ての映像光波長と同じ波長の外界光をコンバイナ１０１で遮光することができない（光学瞳Ｅに入射する映像光の波長帯域のほうが、光学瞳Ｅに入射する外界光の内コンバイナ１０１で遮光される外界光の波長帯域よりも広い）。したがって、コンバイナ１０１を用いるのみでは、映像光の視認性を向上させるには十分ではない。
【００１０】
本発明は、上記の問題点を解決するためになされたものであって、その目的は、映像の視認性を十分に向上させながら、外界を明るく観察することができる映像表示装置と、その映像表示装置を備えたＨＭＤとを提供することにある。
【課題を解決するための手段】
【００１１】
本発明の映像表示装置は、映像を表示する表示素子と、上記表示素子からの映像光を反射させて光学瞳に導くとともに、外界光を透過させて光学瞳に導く光路コンバイナとを備え、光学瞳の位置にて、表示映像とともに外界をシースルーで観察させる映像表示装置であって、上記光路コンバイナに対して光学瞳とは反対側に配置され、外界光の透過率を低下させる減光手段をさらに備え、上記減光手段は、可視光領域のうち、光学瞳に入射する映像光と同じ波長域を含む特定波長域の透過率を、特定波長域以外の波長域の透過率よりも低下させることを特徴としている。
【００１２】
本発明の映像表示装置において、上記減光手段における外界光の透過率が最大値と最小値との中間値となる波長幅をＷ1とし、光学瞳に入射する映像光の最大強度の半値波長幅をＷ2とすると、
Ｗ2＜Ｗ1≦１００ｎｍ
であることが望ましい。
【００１３】
本発明の映像表示装置において、上記光路コンバイナは、体積位相型で反射型のホログラム光学素子であり、上記ホログラム光学素子の回折反射波長域は、上記特定波長域に含まれており、上記ホログラム光学素子の回折効率の半値波長幅をＷ3とすると、
３Ｗ3≦Ｗ1
であることが望ましい。
【００１４】
本発明の映像表示装置において、上記特定波長域は、赤、緑、青のいずれかの波長域であることが望ましい。
【００１５】
本発明の映像表示装置において、上記減光手段は、標準光源の一つであるＣ光源の光が入射したときに、透過光の彩度が（ＬＣｈ表色系で）１０以上となることが望ましい。
【００１６】
本発明の映像表示装置において、光学瞳に入射する外界光と、光学瞳に入射する映像光との、ＬＣｈ表色系における色相角度差をΔｈとすると、
４５°≦Δｈ≦３１５°
であることが望ましい。
【００１７】
本発明の映像表示装置において、
１３５°≦Δｈ≦２２５°
であることがさらに望ましい。
【００１８】
本発明の映像表示装置において、上記減光手段における上記特定波長域の透過率が可変であることが望ましい。
【００１９】
本発明の映像表示装置において、上記減光手段は、ゲストホスト液晶を用いた液晶素子であってもよい。
【００２０】
本発明の映像表示装置において、上記減光手段は、カイラルネマティック液晶を用いた液晶素子であってもよい。
【００２１】
本発明の映像表示装置において、上記減光手段は、選択的に使用可能に複数設けられており、各減光手段の上記特定波長域は、互いに異なっている構成であってもよい。
【００２２】
本発明の映像表示装置は、上記表示素子からの映像光を内部で全反射させて導光する光学部材をさらに有しており、上記光路コンバイナは、体積位相型で反射型のホログラム光学素子であり、上記ホログラム光学素子は、上記光学部材内部を導光される上記表示素子からの映像光を回折反射させて光学瞳に導く構成であってもよい。
【００２３】
本発明の映像表示装置において、上記ホログラム光学素子は、軸非対称な正の光学パワーを有しており、上記表示素子からの映像光を光学瞳に導く接眼光学系の少なくとも一部を構成していてもよい。
【００２４】
本発明のＨＭＤは、上述した本発明の映像表示装置と、上記映像表示装置を観察者の眼前で支持する支持手段とを備えていることを特徴としている。
【発明の効果】
【００２５】
本発明によれば、減光手段により、光学瞳に入射する映像光と同じ波長域を含む特定波長域の外界光が減光される（透過率が低下する）。これにより、光学瞳に入射する映像光と同系色の光成分が外界光から減光されるので、観察される外界（背景）は表示映像（虚像）とは異なる色に着色され、表示映像と外界とで色相差が生じる。したがって、外界光が減光されることによる輝度差に加え、上記の色相差により、表示映像の視認性を十分に向上させることができる。なお、減光手段としては、例えば、可視光領域のうちの特定波長域のみ透過率を低下させる液晶シャッタやカラーフィルタを用いることができる。
【００２６】
また、光学瞳に入射する映像光の波長域よりも、外界光の減光波長域である特定波長域のほうが（映像光の波長域を含んで）広いので、例えば、光学瞳が一定の大きさを持っており、かつ、光学瞳における映像光の入射位置ごとに映像光の主波長（強度が最も高い波長）が変動する場合でも、その映像光と同系色の光成分を外界光から減光することができる。したがって、一定の大きさを持つ光学瞳の面内でどの位置に観察者の瞳を位置させても、表示映像の視認性を十分に向上させることができる。
【００２７】
また、減光手段により、可視光領域のうちの特定波長域のみ外界光が減光されるので（可視光領域全体にわたって外界光が減光されないので）、従来の可視光領域全域の透過率を低下させる減光手段を使用した場合と比較して、減光手段および光路コンバイナを介して、観察者は外界を圧倒的に明るく観察することができる。
【発明を実施するための最良の形態】
【００２８】
本発明の実施の一形態について、図面に基づいて説明すれば、以下の通りである。まず、本発明の映像表示装置のポイントについて説明し、その後、これをＨＭＤに適用した具体例について説明する。
【００２９】
（１．映像表示装置について）
図１は、本発明の映像表示装置１の構成を模式的に示す説明図である。この映像表示装置１は、表示素子２と、光路コンバイナ３と、減光シャッタ４とを有している。
【００３０】
表示素子２は、光源（図示せず）からの光を画像データに基づいて変調することにより映像を表示する光変調素子であり、例えば透過型の液晶表示素子で構成されている。表示素子２から出射される映像光は、本実施形態では単色光となっている。したがって、映像光を例えば緑（Ｇ）の色光とする場合は、Ｇ光を射出するＬＥＤを光源として用いて表示素子２を照明する構成としてもよいし、Ｇのカラーフィルタを有する表示素子２を白色光で照明する構成としてもよい。
【００３１】
減光シャッタ４は、光路コンバイナ３に対して光学瞳Ｅとは反対側に配置され、外界光の透過率を低下させる減光手段であるが、その詳細については後述する。減光シャッタ４としては、後述する特定波長域（例えばＧの映像光の波長域を含む）の光を吸収あるいは反射する部材を用いることができ、例えば、所定の色光を吸収するカラーフィルタ、後述するゲストホスト液晶やカイラルネマティック液晶を用いた液晶素子等、を採用することができる。
【００３２】
光路コンバイナ３は、表示素子２からの映像光を反射させて光学瞳Ｅに導くとともに、外界光を透過させて光学瞳Ｅに導く光学部材である。したがって、観察者は、光学瞳Ｅの位置にて、光路コンバイナ３を介して表示映像の虚像を観察できると同時に、減光シャッタ４および光路コンバイナ３を介して外界をシースルーで観察することができる。
【００３３】
光路コンバイナ３は、反射と透過の両方の機能を有していればよく、例えば、ハーフミラー、層状に干渉縞が記録された反射型ホログラム（ＨＯＥ）、多層膜等で構成することができる。中でも、反射型ＨＯＥや多層膜等、任意の波長域の光のみを反射可能な波長選択性のあるコンバイナを用いることが望ましい。反射波長を映像光波長と一致させることで、映像光を明るく観察することができるとともに、反射波長以外の外界光を透過させることができるので、外界光も明るく観察することができる。
【００３４】
特に、体積位相型で反射型のＨＯＥを用いることにより、反射波長域の狭い光路コンバイナ３を容易に作製することが可能である。体積位相型で反射型のＨＯＥは、可干渉性の光による干渉露光により作製されるが、用いる材料の屈折率差（Δｎｄ）や、作製条件（露光量、露光後処理（温度））等により、反射波長域を任意に制御することが可能である。このような用途に用いられるＨＯＥを作製するためのホログラム感光材料としては、フォトポリマー、銀塩材料、重クロム酸ゼラチンなどが挙げられるが、中でもドライプロセスで製造できるフォトポリマーが望ましい。
【００３５】
（２．減光シャッタについて）
次に、減光シャッタ４の詳細について説明する。
【００３６】
＜減光シャッタの波長特性について＞
図２（ａ）は、減光シャッタ４の透過率の波長特性を示す説明図であり、図２（ｂ）は、外界光の波長特性を示す説明図であり、図２（ｃ）は、光学瞳Ｅに入射する映像光と外界光の波長特性を示す説明図である。なお、図２（ｂ）（ｃ）の縦軸の光強度は、最大強度で規格化している。
【００３７】
減光シャッタ４は、可視光領域のうち、光学瞳Ｅに入射する映像光と同じ波長域を含む特定波長域の外界光の透過率を、特定波長域以外の波長域の透過率よりも低下させる。例えば、光路コンバイナ３で反射して光学瞳Ｅに到達する映像光がＧの単色光で、映像光のピーク波長（光強度がピークとなる波長）が５２０ｎｍであり、映像光の半値幅が１５ｎｍであるとき、減光シャッタ４は、特定波長域として４８０〜５６０ｎｍの帯域の外界光の透過率を、特定波長域以外の波長域の透過率よりも低下させる。なお、特定波長域の波長幅は、図２（ａ）における波長幅Ｗ1（ｎｍ）を指す。波長幅Ｗ1は、減光シャッタ４における外界光の透過率の最大値をａ（％）とし、最小値をｂ（％）としたときに、透過率が最大値と最小値との中間値（（ａ＋ｂ）／２）となるときの波長幅である。また、映像光の半値幅１５ｎｍは、図２（ｃ）において、光学瞳Ｅに入射する映像光の最大強度の半値波長幅Ｗ2（ｎｍ）を指す。これにより、以下の作用効果を得ることができる。
【００３８】
例えば、ＮＤフィルタやＴＮ液晶、ＳＴＮ液晶等を外界光の減光シャッタとして用い、外界光の透過率を可視光の全波長領域にわたって一律に下げる構成では、外界光と映像光のとの「輝度差」により映像の視認性を向上させることができたとしても、外界光の透過率を可視光の全波長領域にわたって下げるために、外界が非常に暗く観察される。
【００３９】
これに対して、本発明のように、可視光領域のうち、ある特定の波長範囲（上記の例では４８０〜５６０ｎｍの波長域）の外界光のみを減光シャッタ４で減光することにより、外界光の透過率を可視光の全波長領域にわたって下げる構成に比べて、外界が暗くなる程度を低減することができ、減光シャッタ４および光路コンバイナ３を介して、観察者は外界を圧倒的に明るく観察することができる。
【００４０】
また、減光シャッタ４が、映像光波長と同じ領域を含む特定波長域の外界光を減光することにより、外界光中における映像光と同系色の光成分の割合が減るので、観察される外界は映像とは異なる色（上記の例では紫色）に着色され、その色相差によっても映像の視認性が向上する。すなわち、本発明によれば、外界光と映像光との「輝度差」に加え、「色相差」を利用して、映像の視認性を十分に向上させることができる。なお、「色相差」の詳細については後述する。
【００４１】
また、光学瞳Ｅに入射する映像光の波長域よりも、外界光の減光波長域（特定波長域）のほうが、映像光の波長域を含んで波長幅が広いので、一定の大きさを持つ光学瞳Ｅにおける映像光の入射位置ごとに映像光の主波長（強度が最も高い波長）が変動する場合でも、その映像光と同系色の光成分を外界光から減光することができる。したがって、一定の大きさを持つ光学瞳Ｅの面内でどの位置に観察者の瞳を位置させても、表示映像の視認性を十分に向上させることができる。
【００４２】
また、「色相差」によって映像の視認性を向上させることができるので、「輝度差」のみで映像の視認性を向上させる場合に比べて、遮光波長領域（特定波長域）の透過率の低下度合いが少なくても（例えば、遮光領域の透過率が３０％あったとしても）、映像の視認性を十分に向上させることが可能となる。
【００４３】
また、減光シャッタ４における特定波長域の波長幅Ｗ1は、外界光中から映像光と同系色の光成分を確実に減光するために、映像光の半値波長幅Ｗ2よりも広いことが望ましい。また、観察される外界が暗くなりすぎないように、波長幅Ｗ1は１００ｎｍ程度を上限とすることが望ましい。上記の例では、Ｗ2＝１５ｎｍであり、Ｗ1＝５６０−４８０＝８０ｎｍであり、上記の条件を満たしている。
【００４４】
つまり、Ｗ2＜Ｗ1を満足すれば、外界光中から映像光と同系色の光成分を確実に減光することができ、Ｗ1≦１００ｎｍを満足すれば、透過率を落とす波長域が制限されるため、外界が暗く観察されるのを回避することができる。このことから、以下の条件式を満足することが望ましいと言える。すなわち、
Ｗ2＜Ｗ1≦１００ｎｍ
である。
【００４５】
ところで、上記した光路コンバイナ３が体積位相型で反射型のＨＯＥで構成される場合、上記ＨＯＥの回折反射波長域は、上記の特定波長域に含まれ、上記ＨＯＥの回折効率の半値波長幅をＷ3とし、減光シャッタ４が減光する特定波長域の波長幅をＷ1とすると、
３Ｗ3≦Ｗ1
を満足することが望ましい。その理由は以下の通りである。
【００４６】
ＨＯＥからなる光路コンバイナ３は、波長選択性・角度選択性を有するため、光路コンバイナ３上での反射角が異なると、映像光の反射波長も異なる。つまり、光学瞳Ｅの面内の各位置に入射する映像光のそれぞれについて、ＨＯＥでの回折効率のピーク波長は異なる。
【００４７】
ここで、図３（ａ）は、光路コンバイナ３で回折反射されて光学瞳Ｅの中心および上下端に入射する映像光の光路を模式的に示す説明図であり、図３（ｂ）は、光路コンバイナ３を構成するＨＯＥの回折効率の波長特性を示す説明図である。図３（ａ）に示すように、光学瞳Ｅの大きさを考慮すると、光路コンバイナ３は光学瞳Ｅに近接して配置されているため、光路コンバイナ３の中心から瞳中心・瞳上端・瞳下端への反射角がそれぞれ異なり、それぞれ、反射する映像光の主波長が異なる。
【００４８】
例えば、ＨＯＥの回折ピーク波長が５２０ｎｍであり、回折効率の半値波長幅Ｗ3が１５ｎｍであるとする。そして、ＨＯＥは、入射角３０°で入射する光を反射角３０°で瞳中心方向に反射するものとする。光路コンバイナ３と光学瞳Ｅとの距離が１４ｍｍであり、上下方向の瞳サイズが２．５ｍｍであるとすると、瞳上端および瞳下端への反射方向は、それぞれ瞳中心に対して約５度ずれている。このとき、図３（ｂ）に示すように、回折ピーク波長は、瞳上端に入射する光については約５２９ｎｍ、瞳下端に入射する光については約５１０ｎｍとなり、瞳中心に入射する光についての回折ピーク波長（５２０ｎｍ）とそれぞれ約１０ｎｍ程度異なる。
【００４９】
瞳中心に入射する光との角度差が大きくなるほど、上記の波長ズレは大きくなり、光学瞳Ｅに入射する全映像光の波長範囲は、ＨＯＥの回折効率の半値波長幅よりも広くなる（上記の例では約２０ｎｍに広がる）。このため、映像光の視認性を向上させるためには、減光シャッタ４が減光する特定波長域の波長幅Ｗ1は、ＨＯＥの回折効率の半値波長幅Ｗ3の３倍以上であることが望ましい。Ｗ1が上記した８０ｎｍであれば、Ｗ3が１５ｎｍのＨＯＥを光路コンバイナ３として用いることにより、上記の条件式を容易に満足することができる。
【００５０】
つまり、上記の条件式を満足することにより、一定の大きさを持つ光学瞳Ｅの各位置に入射する映像光の全波長範囲と同じ波長範囲を含む特定波長域について、外界光の透過率を落とすことができるので、光学瞳Ｅの面内のどの位置に観察者の瞳が位置しても、表示映像の視認性を確実に向上させることができる。
【００５１】
以上では、減光シャッタ４が減光する特定波長域を、Ｇの映像光の波長域を含むＧの波長域とした例について説明したが、特定波長域は、赤（Ｒ）の映像光の波長域を含むＲの波長域としてもよいし、青（Ｂ）の映像光の波長域を含むＢの波長域としてもよい。つまり、特定波長域は、ＲＧＢのいずれかの波長域であってもよい。一般的な映像光は、ＲＧＢの少なくともいずれかの光で構成されるので、そのＲＧＢのいずれかの映像光に併せて減光シャッタ４が外界光を減光することにより、表示映像の視認性を向上させることができる。
【００５２】
＜色相差について＞
次に、上記した色相差について、ＬＣｈ表色系を用いて説明する。図４（ａ）は、ＬＣｈ表色系の模式的な説明図であり、図４（ｂ）は、ＬＣｈ表色系における映像光と外界光との色相角度差を示す説明図である。ＬＣｈ表色系は、色を明度、彩度、色相角度を用いて表現する表色系であり、２つの色の違いを色相角度の差で表現することができる。上記した減光シャッタ４は、標準光源の一つであるＣ光源の光が入射したときに、透過光の彩度Ｃが１０以上となる特性を有していることが望ましい。
【００５３】
ここで、Ｃ光源とは、国際照明委員会（ＣＩＥ）によって規定された標準光源の一つであり、６７７４Ｋ（ケルビン）の色温度を持つ光で、平均的な昼光に近く設定されたものを指す。標準光源の一つであるＣ光源等に代表される白色光や自然光のような、波長特性の小さい光（ＬＣｈ表色系における彩度Ｃが非常に小さい光）が入射した際に、減光シャッタ４によって透過光の彩度Ｃが１０以上となるので、減光シャッタ４を透過した（減光された）外界光の色が確実に識別可能となり、映像光と外界光との色相差による表示性能（視認性）の向上が確実に可能となる。
【００５４】
例えば、減光シャッタ４がＢの波長域を特定波長域として減光する場合、特定波長域の中心波長（ピーク波長）を４８０ｎｍとし、波長４８０ｎｍでの減光シャッタ４の透過率を５０％とし、特定波長域の波長幅を６０ｎｍとすると、彩度Ｃは２９となる。また、減光シャッタ４がＧの波長域を特定波長域として減光する場合、特定波長域の中心波長（ピーク波長）を５４０ｎｍとし、波長５４０ｎｍでの減光シャッタ４の透過率を４５％とし、特定波長域の波長幅を８０ｎｍとすると、彩度Ｃは２８となる。このように彩度Ｃが１０以上の値であれば、映像の視認性を確実に向上させることができる。ちなみに、減光シャッタとして波長特性のない（可視光の全波長領域で透過率が同じ）シャッタを用いた場合、シャッタの透過率が１０％、３０％、５０％のときの彩度Ｃは、それぞれ、５．３、７．６、９．０となり、いずれも１０未満の非常に小さな値となるので、映像の視認性を向上させることができなくなる。
【００５５】
また、例えば、光学瞳Ｅに入射する映像光を緑単色とし、映像光のピーク波長を５２０ｎｍとし、映像光の半値幅を１５ｎｍとし、光学瞳Ｅに入射する外界光を４８０〜５６０ｎｍの特定波長域が減光された光とする。図４（ｂ）において、映像光と外界光の色相差、つまり、色相角度差に着目してみると、緑である映像光は色相角度が約１６０度の光に相当し、緑領域が減光された外界光は色相角度が約３２０度の紫色の光に相当する。したがって、映像光と外界光の色相角度差をΔｈとすると、Δｈ＝１６０度となる。
【００５６】
色相は、赤から半時計回りに４５度おきに、赤、オレンジ、黄、黄緑、緑、青緑、青、紫と順に変化しており、色相角度差が４５度以上３１５度以下であれば、色の違いを十分に認識できる。すなわち、「色相差」により映像の視認性を向上させることができる。さらに、色相角度差が１３５度以上２２５度以下であれば、互いの色は略補色の関係となり、最も視認性が向上する。
【００５７】
つまり、４５°≦Δｈ≦３１５°を満足することにより、映像光と外界光とは色相が異なるので、表示映像の視認性が向上すると言える。また、１３５°≦Δｈ≦２２５°をさらに満足することにより、映像光と外界光とは略補色の関係となって表示映像の視認性がより向上すると言える。
【００５８】
また、以下の条件でも、「色相差」を利用して、映像の視認性を向上させることができる。例えば、光学瞳Ｅに入射する映像光を緑単色とし、映像光のピーク波長を５２０ｎｍとし、映像光の半値幅を１５ｎｍとする。そして、減光シャッタ４を後述するカイラルネマティック液晶を用いた液晶素子で構成し、光学瞳Ｅに入射する外界光を４９０〜５７０ｎｍの特定波長域が減光された光とし、特定波長域の中心波長（ピーク波長）を５４０ｎｍとし、波長５４０ｎｍでの減光シャッタ４の透過率を４５％とし、特定波長域の波長幅を７０ｎｍとし、外界光を標準光源（Ｃ光源）とする。この場合、減光シャッタ４を透過した外界光の彩度Ｃは２８となり、色相角度ｈは３５０度となる。また、映像光の彩度Ｃは２５となり、色相角度ｈは１５７度となる。
【００５９】
つまり、減光シャッタ４を透過した外界光の彩度Ｃは、１０よりも十分に高い２８であるので、外界を映像とは異なる色として十分に認識することができる。また、映像光と外界光の色相角度差Δｈは、３５０−１５７＝１９３となり、ほぼ補色の関係が得られるので、表示映像の視認性を十分に向上させることができる。
【００６０】
＜減光シャッタの構成について＞
次に、減光シャッタ４の具体的な構成について説明する。図５は、減光シャッタ４の一構成例を示す断面図である。減光シャッタ４は、減光する特定波長域の透過率を可変する液晶素子で構成することが可能である。この液晶素子は、２つの透明な基板４ａ・４ａと、基板４ａ・４ａ上に配置される透明な電極４ｂ・４ｂと、電極４ｂ・４ｂを介して基板４ａ・４ａで挟持される液晶層４ｃとを有して構成されている。基板４ａ・４ａは、ガラスで構成されてもよいが、減光シャッタ４が眼前に配置することを考慮すると、安全性の観点からプラスチックで構成されることがより望ましい。
【００６１】
電極４ｂ・４ｂへの電圧印加によって液晶層４ｃの液晶分子の配向状態を変化させることにより、図６に示すように、特定波長域のみ透過率を可変することができる。そして、特定波長域の透過率を低下させた減光状態と、特定波長域の透過率を高くしてそれ以外の波長域の透過率にほぼ合わせた透過状態との２つの異なる状態を切り替えることが可能となる。これにより、映像を観察しないとき（表示素子２に映像を表示させないとき）には、減光シャッタ４を透過状態にすることで、外界をより明るく、かつ、着色なく自然に観察することができる。一方、映像観察時には、先に述べたように減光シャッタ４を減光状態にすることで、映像の視認性を向上させることができる。
【００６２】
ここで、減光シャッタ４は、上記の液晶層４ｃとしてゲストホスト液晶やカイラルネマティック液晶を用いた液晶素子で構成することができる。以下、これらの液晶について詳細に説明する。
【００６３】
〔ゲストホスト液晶〕
ゲストホスト液晶は、例えば、ネマティック液晶の分子（ホスト）の中に、分子の長軸方向と短軸方向とで光の吸収特性が異なる二色性色素（ゲスト）を溶解させた液晶である。電圧印加により液晶分子の配列状態を変化させることで、ゲスト分子の配列方向を変化させて、ゲスト分子の吸収により液晶層の透過率を変化させることができる。なお、液晶層４ｃ自身に二色性を示す液晶を用いれば、ゲストを用いることなくホストのみで同様の減光シャッタ４を作製することが可能である。
【００６４】
ここで、白色光源（例えば太陽光）がゲストホスト液晶を透過する光の色は、電圧印加時はゲスト分子がホスト液晶と長軸方向を平行にそろえて配列することで屈折率が等しくなり透明となるため、光源光のままの白色となる。一方、電圧無印加時は、ゲスト分子とホスト液晶との長軸方向がそろわないことで屈折率が異なり、二色性色素に光が吸収されて色調が現れる。
【００６５】
例えば青色の二色性色素を用いた場合は、その略補色である赤の波長（例えば６４０ｎｍ）近辺が一番透過率が低くなる。同様に、黄色の二色性色素を用いた場合は、その略補色である青の波長（例えば４６０ｎｍ）近辺が一番透過率が低くなり、オレンジ色の二色性色素を用いた場合は、その略補色である緑波長（例えば５２０ｎｍ）近辺が一番透過率が低くなる。すなわち、用いる映像光の色に応じて二色性色素を選択し、特定波長域の透過率を低下させることにより、映像光の視認性を向上させることが可能となる。
【００６６】
二色性色素としては、アゾ系、アントラキノン系、ベンゾキノン系、ナフトキノン系、ポリメチン系、テトラジン系などが知られており、なかでもアントラキノン系の色素は二色比が高く、耐光性や溶解性などに優れており好ましい。この二色性色素の配合量は、使用する色の種類によって若干異なり、液晶成分に対して、例えば、オレンジや黄色の色素の場合は０．５〜２．０重量％で、１重量％が好ましく、青色の色素の場合は０．２５〜１．０重量％で、０．５重量％が好ましい。
【００６７】
このように、ゲスト分子である二色性色素の種類や配合量を選択、調整することにより、任意の波長域を任意の透過率に落として減光することが可能となる。また、電圧印加により、液晶の透過率を可変でき、特定波長域の透過率を可変にすることができる。
【００６８】
〔カイラルネマティック液晶〕
カイラルネマティック液晶は、ネマティック液晶にカイラル材料を添加することにより、室温においてコレステリック液晶相を示すようにした液晶である。カイラルネマティック液晶を用いることにより、電圧印加により、プレーナ状態（選択反射状態）とフォーカルコニック状態（透明状態）とを切り替えることができ、液晶の透過率を可変にすることができる。さらに、電圧印加を止めても、上記２つの状態を安定して保持することが可能なので（メモリー性があるので）、省電力である。
【００６９】
ここで、上記のネマティック液晶としては、例えば、従来知られている液晶性エステル化合物、液晶性ピリミジン化合物、液晶性シアノビフェニル化合物や、フッ素原子、フルオロアルキル基、シアノ基等の極性基を有する液晶性化合物等を単一、あるいは混合して使用することができる。
【００７０】
一方、添加するカイラル材としては、例えば、コレステリック環を有するコレステリック液晶、カイラルネマティック液晶、その他、液晶性は示さないがネマティック液晶の分子をねじる作用を有する有機化合物を使用することができる。例えば、ビフェニル化合物、ターフェニル化合物、エステル化合物、ピリミジン化合物、アゾキシ化合物などでネマティック液晶分子に層状のヘリカル構造（液晶分子の螺旋構造に沿って液晶分子が３６０°回転した分子構造）を与えるものを使用できる。また、化合物の末端基に光学活性基を有する市販のカイラル材料を用いることもでき、コレステリックノナノレートに代表されるコレステリック環を有するコレステリック液晶も使用することができる。
【００７１】
カイラルネマティック液晶は、カイラルドーパント（カイラル材）のネマティック液晶への添加量を変えることにより、カイラルネマティック液晶の螺旋構造のピッチを変化させることができ、これにより液晶の選択反射波長域を変化させる（制御する）ことができる。例えば、カイラル材として、MLC-6247、R1011（いずれもメルク社製）をそれぞれ液晶組成物の全量に対して８．９１重量％、４．５０重量％含有させると、４７０ｎｍ付近の波長の光を選択反射させることができる。また、カイラル材として、MLC-6247、R1011（いずれもメルク社製）をそれぞれ液晶組成物の全量に対して４．２０重量％、５．２６重量％含有させると、５５０ｎｍ付近の波長の光を選択反射させることができる。さらに、カイラル材として、MLC-6247、S1011（いずれもメルク社製）をそれぞれ液晶組成物の全量に対して８．７３重量％、２．３６重量％含有させると、６６０ｎｍ付近の波長の光を選択反射させることができる。
【００７２】
このように、カイラル材の添加量（例えば約８〜４０重量％）を調整することにより、選択反射する波長領域を変えることができ、減光シャッタ４として使用することができる。ただし、カイラル材の添加量は、ネマティック液晶およびカイラル材の合計の重量を基準として、例えば約１０重量％〜約４５重量％が望ましい。カイラル材の添加量が１０重量％以下では、十分なメモリー性（すなわち、電圧印加をやめた後の、着色状態であった領域の着色状態の保持性、あるいは散乱状態であった領域の散乱状態の保持性）を得られない場合が生じ、４５重量％以上では、室温でコレステリック相を示さなくなったり、固化する場合があるからである。なお、カイラル材の添加量は、１５重量％〜４０重量％がより望ましい。
【００７３】
（３．映像表示装置の他の構成について）
図７は、映像表示装置１の他の構成を示す説明図である。上記した減光シャッタ４は、選択的に使用可能に複数設けられていてもよい。ただし、各減光シャッタ４が減光する特定波長域は、互いに異なっている（重複した波長域はない）とする。以下では、Ｒの波長域を特定波長域として減光する減光シャッタ４を、減光シャッタ４Ｒとする。また、Ｇの波長域を特定波長域として減光する減光シャッタ４を、減光シャッタ４Ｇとし、Ｂの波長域を特定波長域として減光する減光シャッタ４を、減光シャッタ４Ｂとする。
【００７４】
図７に示すように、透過率の低い特定波長域が異なる複数の減光シャッタ４Ｒ・４Ｇ・４Ｂを重ねて配置し、光路コンバイナ３として、Ｒ（６３５±１０ｎｍ）、Ｇ（５２０±１０ｎｍ）、Ｂ（４６５±１０ｎｍ）の各色の映像光を回折反射するＨＯＥを用いる。この構成において、減光シャッタ４Ｒ・４Ｇ・４Ｂのいずれかを選択的に使用することにより、映像光の各色に対応して視認性を向上させることが可能となる。つまり、表示素子２にてＲＧＢのいずれかの色の映像光を生成し、光路コンバイナ３を介して光学瞳Ｅに導くことができる場合でも、用いる映像光の色に応じていずれか１つの減光シャッタ４の特定波長域の透過率を低下させることにより、異なる波長のそれぞれの映像光に対して、視認性を向上させることが可能となる。
【００７５】
このように、複数の減光シャッタ４Ｒ・４Ｇ・４Ｂを設けることにより、映像光の色（単色）が切り替わっても、その映像光の色に応じた減光シャッタ４を選択して使用することにより、映像光の各色に対応して外界光を減光することができ、映像光の各色に対応して視認性を向上させることが可能となる。したがって、複数の減光シャッタ４Ｒ・４Ｇ・４Ｂを設ける構成は、例えば光源としてＲＧＢの各光を出射するＬＥＤを用い、ＲＧＢのいずれかの光を表示素子２に照射して、表示素子２から単色光を映像光として出射する構成において非常に有効となる。また、映像光が単色ではなく、カラーであっても、全体的な映像の色調に応じて、特定の色のみ減光してもよい。例えば、ダイビングでの水中映像等を表示素子２に表示させる場合、その表示映像においては、全体的に青系が多くを占めている。このような場合には、Ｂの減光シャッタを用いて外界光の内Ｂ光のみを減光するだけでも、相応の視認性向上効果を得ることが可能である。
【００７６】
（４．ＨＭＤに適用した具体例ついて）
次に、上述した映像表示装置１をＨＭＤに適用したときの具体的な構成について説明する。
【００７７】
図８は、ＨＭＤに適用される映像表示装置１１の概略の構成を示す断面図である。映像表示装置１１は、観察者に外界をシースルーで観察させるとともに、単色の映像を表示して観察者にそれを虚像として提供するものであり、上述した映像表示装置１（図１等参照）に対応している。この映像表示装置１１は、映像表示部２１と、接眼光学系３１と、減光シャッタ４１とを有して構成されている。映像表示部２１は、光源２２と、一方向拡散板２３と、集光レンズ２４と、ＬＣＤ２５とを有している。
【００７８】
光源２２は、中心波長が例えば５２０ｎｍの緑の色光を出射するＬＥＤで構成されている。一方向拡散板２３は、光源２２からの照明光を拡散させるものであるが、その拡散度は方向によって異なっている。より詳細には、一方向拡散板２３は、図８の紙面に垂直な方向（水平方向）には入射光を約４０゜拡散させ、紙面に平行な方向（上記水平方向に垂直な方向）には入射光を約０．２゜拡散させる。集光レンズ２４は、一方向拡散板２３にて拡散された光を集光する照明光学系である。集光レンズ２４は、上記拡散光が効率よく光学瞳Ｅを形成するように配置されている。ＬＣＤ２５は、映像信号に基づいて光源２２からの光を各画素ごとに変調することにより、映像を表示する表示素子であり、例えばカラーフィルタを備えていない透過型の液晶表示素子で構成されている。ＬＣＤ２５は、上述した表示素子２（図１等参照）に対応している。
【００７９】
一方、接眼光学系３１は、ＬＣＤ２５からの映像光を光学瞳Ｅに導く一方、外界光を透過させて光学瞳Ｅに導くことで、光学瞳Ｅの位置にて、表示映像の虚像とともに外界をシースルーで観察させる。この接眼光学系３１は、接合プリズム（接合光学部材）で構成され、テレセントリックな光学系を構成している。具体的には、接眼光学系３１は、光学部材である接眼プリズム３２と偏向プリズム３３とを、光路コンバイナ３４を挟んで接合してなっている。
【００８０】
接眼プリズム３２と偏向プリズム３３とは、接着剤で接合されている。接眼プリズム３２は、平行平板の下端部を楔状にし、その上端部を厚くした形状で構成されており、ＬＣＤ２５からの映像光を内部で全反射させて導光する。この接眼プリズム３２は、面３２ａ・３２ｂ・３２ｃを有している。面３２ａは、映像表示部２１からの映像光が入射する入射面であり、面３２ｂ・３２ｃは互いに対向する面である。このうち、面３２ｂは、全反射面兼射出面となっている。
【００８１】
偏向プリズム３３は、平行平板の上端部を接眼プリズム３２の下端部に沿った形状とすることによって、接眼プリズム３２と一体となって略平行平板となるように構成されている。接眼プリズム３２に偏向プリズム３３を接合させない場合、外界光が接眼プリズム３２の楔状の下端部を透過するときに屈折するので、接眼プリズム３２を介して観察される外界像に歪みが生じる。しかし、接眼プリズム３２に偏向プリズム３３を接合させて一体的な略平行平板を形成することで、外界光が接眼プリズム３２の楔状の下端部を透過するときの屈折を偏向プリズム３３でキャンセルすることができる。その結果、シースルーで観察される外界像に歪みが生じるのを防止することができる。
【００８２】
光路コンバイナ３４は、接眼プリズム３２内部で導光されたＬＣＤ２５からの映像光を反射させて光学瞳Ｅに導くとともに、外界光を透過させて光学瞳Ｅに導く反射光学素子であり、例えば体積位相型で反射型のＨＯＥで構成されている。このＨＯＥは、特定の入射角で入射する例えば５２０±１０ｎｍの波長帯域の光を回折させる。光路コンバイナ３４は、接眼プリズム３２の下端部の傾斜面に貼り付けられており、この結果、接眼プリズム３２と偏向プリズム３３とで挟まれている。２つの透明部材（接眼プリズム３２、偏向プリズム３３）の間にＨＯＥを形成することにより、ＨＯＥが外気に触れることがないので、光学性能を安定に保つことが可能となる。
【００８３】
減光シャッタ４１は、外界光の透過率を低下させる減光手段であり、上述した減光シャッタ４（図１等参照）に対応するものである。ここでは、減光シャッタ４１は、電圧印加によって４８０〜５６０ｎｍの特定波長域の光の透過率を可変する液晶素子で構成されており、例えば上述したカイラルネマティック液晶を有している。減光シャッタ４１は、光路コンバイナ３４に対して光学瞳Ｅとは反対側に配置されている。
【００８４】
上記の構成において、映像表示部２１の光源２２から出射された光（Ｇ光）は、一方向拡散板２３にて拡散され、集光レンズ２４にて集光されてＬＣＤ２５に入射する。ＬＣＤ２５に入射した光は、映像信号に基づいて各画素ごとに変調され、映像光として出射される。このとき、ＬＣＤ２５には、緑の映像が表示される。
【００８５】
ＬＣＤ２５からの映像光は、接眼光学系３１の接眼プリズム３２の内部にその上端面（面３２ａ）から入射し、対向する２つの面３２ｂ・３２ｃで複数回全反射されて、光路コンバイナ３４に入射する。光路コンバイナ３４に入射した光はそこで回折反射され、面３２ｂを介して射出され、光学瞳Ｅに達する。したがって、光学瞳Ｅの位置では、観察者は、ＬＣＤ２５に表示された映像の拡大虚像を観察することができる。
【００８６】
一方、接眼プリズム３２、偏向プリズム３３および光路コンバイナ３４は、外界光をほとんど全て透過させるので、観察者は外界を観察することができる。したがって、ＬＣＤ２５に表示された映像の虚像は、外界の一部に重なって観察されることになる。以上のことから、光路コンバイナ３４は、映像光と外界光とを同時に観察者の眼に導くコンバイナであると言える。
【００８７】
このとき、減光シャッタ４１が透過率を低下させていない状態では、観察者は減光シャッタ４１および光路コンバイナ３４等を介して外界を通常通り観察することができる。一方、減光シャッタ４１が透過率を低下させている状態では、外界光のうちで緑の映像光の波長域を含む緑の波長域（特定波長域）の光が減光シャッタ４１にて減光されるので、光学瞳Ｅに入射する外界光は、緑の略補色である紫の色相にわずかに着色される。したがって、外界光の紫色と映像光の緑色との色相差および外界光が減光されることによる輝度差により、映像光の視認性が十分に向上する。
【００８８】
以上のように、減光シャッタ４１は、可視光領域のうち、緑の映像光の波長域を含む特定波長域のみ減光するので、外界光が明るい。さらに、外界光と映像光との輝度差だけでなく、外界光と映像光との色相差によっても映像の視認性を向上させることができるので、実際には上記特定波長域の減光率をそれほど大きくしなくても、視認性の向上を十分に達成できる。すなわち、外界光が明るく、かつ、外界光の着色が比較的少ない状態でも、高い映像の視認性を十分に得ることができる。
【００８９】
また、接眼光学系３１は、体積位相型で反射型のＨＯＥからなる光路コンバイナ３４を含んで構成されている。体積位相型で反射型のＨＯＥは、回折効率が高く、しかも、回折効率ピークの半値波長幅が狭い。したがって、このようなＨＯＥを用い、ＬＣＤ２５からの映像光をＨＯＥにて回折反射させて光学瞳Ｅに導く構成とすることにより、明るい映像を観察させることができる。また、外界光の透過率も高くなるので、明るい外界を観察させることができる。
【００９０】
また、接眼プリズム３２内での全反射を用いて映像光を導光する構成なので、通常の眼鏡レンズと同程度に厚さを薄く（例えば３ｍｍ程度に）することができ、接眼プリズム３２を小型軽量にできるとともに、外界光の透過率が高くなり、外界を良好に観察することができる。また、ＬＣＤ２５を接眼光学系３１の一端部側に配置する、つまり、視野の周辺に配置することが可能となり、広い外界視野角を確保することができる。
【００９１】
また、ＨＯＥはＬＣＤ２５にて表示された映像を拡大する、軸非対称な正の光学パワーを有しており、接眼光学系３１の少なくとも一部を構成しているので、接眼光学系３１を小型に構成しながら、装置を構成する各光学部材の配置の自由度を高めて、装置を小型軽量にできるとともに、良好に収差補正された映像を観察することが可能となる。
【００９２】
また、光路コンバイナ３４は、上述したように特定入射角の特定波長の光のみを回折させる体積位相型で反射型のＨＯＥで構成されているので、ＬＣＤ２５からの映像光が、接眼プリズム３２、偏向プリズム３３および光路コンバイナ３４を透過する外界光に影響を与えることがない。それゆえ、減光シャッタ４１が透過率を低下させていない状態では、観察者は、光路コンバイナ３４を介してＬＣＤ２５の表示映像の虚像を観察しながら、接眼プリズム３２、偏向プリズム３３および光路コンバイナ３４を介して外界を通常通りかつ明瞭に観察することができる。
【００９３】
なお、以上では、光源２２がＧ光を出射し、減光シャッタ４１がＧの波長域を特定波長域として減光する例について説明したが、光源２２がＲ光やＢ光を出射する場合には、減光シャッタ４１はＲの波長域やＢの波長域を特定波長域として減光するように構成されればよい。
【００９４】
次に、上記の映像表示装置１１が適用されるＨＭＤについて説明する。図９（ａ）（ｂ）（ｃ）は、それぞれ、上記ＨＭＤの概略の構成を示す平面図、正面図および側面図である。ＨＭＤは、上述した映像表示装置１１と、それを支持する支持手段１２とを有しており、全体として、一般の眼鏡から一方（例えば左眼用）のレンズを取り除いたような外観となっている。映像表示装置１１において、眼鏡の右眼用レンズに相当する部分は、接眼プリズム３２と偏向プリズム３３との貼り合わせによって構成されている。
【００９５】
映像表示装置１１の減光シャッタ４１は、観察者の両眼の前方に位置し、両眼に入射する外界光の透過率をともに低下させる形状で形成されているが、映像表示装置１１を配置した側の片眼の眼前にのみ配置して、片眼に入射する外界光の透過率を低下させるようにしてもよい。
【００９６】
支持手段１２は、映像表示装置１１を観察者の眼前（例えば右眼の前）で支持するものであり、ブリッジ１３と、フレーム１４と、テンプル１５と、鼻当て１６と、ケーブル１７とを有している。なお、フレーム１４、テンプル１５および鼻当て１６は、左右一対設けられているが、これらを左右で区別する場合は、右フレーム１４Ｒ、左フレーム１４Ｌ、右テンプル１５Ｒ、左テンプル１５Ｌ、右鼻当て１６Ｒ、左鼻当て１６Ｌのように表現するものとする。
【００９７】
映像表示装置１１の一端は、ブリッジ１３に支持されている。このブリッジ１３は、映像表示装置１１のほかにも、左フレーム１４Ｌ、鼻当て１６および減光シャッタ４１を支持している。左フレーム１４Ｌは、左テンプル１５Ｌを回動可能に支持している。一方、映像表示装置１１の他端は、右フレーム１４Ｒに支持されている。右フレーム１４Ｒにおいて映像表示装置１１の支持側とは反対側端部は、右テンプル１５Ｒを回動可能に支持している。ケーブル１７は、外部信号（例えば映像信号、制御信号）や電力を映像表示装置１１に供給するための配線であり、右フレーム１４Ｒおよび右テンプル１５Ｒに沿って設けられている。
【００９８】
観察者がＨＭＤを使用するときは、右テンプル１５Ｒおよび左テンプル１５Ｌを観察者の右側頭部および左側頭部に接触させるとともに、鼻当て１６を観察者の鼻に当て、一般の眼鏡をかけるようにＨＭＤを観察者の頭部に装着する。この状態で映像表示装置１１にて映像を表示すると、観察者は、映像表示装置１１の映像を虚像として観察することができるとともに、この映像表示装置１１を介して外界をシースルーで観察することができる。
【００９９】
このように、映像表示装置１１が支持手段１２で支持されているので、観察者は映像表示装置１１から提供される映像をハンズフリーで観察することができる。また、観察者の観察方向が一方向に定まるので、観察者は暗環境でも表示映像を探しやすいという利点もある。
【０１００】
なお、ＨＭＤは、観察者の両眼の眼前に２個の映像表示装置１１を配置した構成であってもよい。この場合、上記の減光シャッタ４１は、観察者の両眼の前方に位置し、両眼に入射する外界光の透過率をともに低下させればよい。
【０１０１】
（５．補足）
本実施形態で説明した構成を適宜組み合わせて映像表示装置ひいてはＨＭＤを構成することも勿論可能である。例えば、複数の減光シャッタ４を設ける図７の構成を図８の映像表示装置１１に適用することも勿論可能である。
【０１０２】
本実施形態で説明した映像表示装置は、例えばヘッドアップディスプレイ（ＨＵＤ）にも適用することも可能である。
【産業上の利用可能性】
【０１０３】
本発明は、ＨＭＤやＨＵＤに利用可能である。
【図面の簡単な説明】
【０１０４】
【図１】本発明の映像表示装置の構成を模式的に示す説明図である。
【図２】（ａ）は、上記映像表示装置の減光シャッタの透過率の波長特性を示す説明図であり、（ｂ）は、外界光の波長特性を示す説明図であり、（ｃ）は、光学瞳に入射する映像光と外界光の波長特性を示す説明図である。
【図３】（ａ）は、上記映像表示装置において、光路コンバイナで回折反射されて光学瞳の中心および上下端に入射する映像光の光路を模式的に示す説明図であり、（ｂ）は、上記光路コンバイナを構成するＨＯＥの回折効率の波長特性を示す説明図である。
【図４】（ａ）は、ＬＣｈ表色系の模式的な説明図であり、（ｂ）は、ＬＣｈ表色系における映像光と外界光との色相角度差を示す説明図である。
【図５】上記減光シャッタの一構成例を示す断面図である。
【図６】上記減光シャッタの透過率の変化特性を示す説明図である。
【図７】映像表示装置の他の構成を示す説明図である。
【図８】ＨＭＤに適用される映像表示装置の概略の構成を示す断面図である。
【図９】（ａ）（ｂ）（ｃ）は、それぞれ、上記ＨＭＤの概略の構成を示す平面図、正面図および側面図である。
【図１０】一定の大きさを持つ光学瞳に入射する映像光と外界光の光路を模式的に示す説明図である。
【符号の説明】
【０１０５】
１      映像表示装置
２      表示素子
３      光路コンバイナ
４      減光シャッタ（減光手段）
４Ｒ    減光シャッタ（減光手段）
４Ｇ    減光シャッタ（減光手段）
４Ｂ    減光シャッタ（減光手段）
４ｃ    液晶層（ゲストホスト液晶、カイラルネマティック液晶）
１１      映像表示装置
１２      支持手段
２５      ＬＣＤ（表示素子）
３１      接眼光学系
３２      接眼プリズム（光学部材）
３４      光路コンバイナ（ホログラム光学素子）
Ｅ      光学瞳
【図１】
2010145674.tif 000003
【図２】
2010145674.tif 000004
【図３】
2010145674.tif 000005
【図４】
2010145674.tif 000006
【図５】
2010145674.tif 000007
【図６】
2010145674.tif 000008
【図７】
2010145674.tif 000009
【図８】
2010145674.tif 000010
【図９】
2010145674.tif 000011
【図１０】
2010145674.tif 000012